(57)【特許請求の範囲】
【請求項１】
センター(１)と、該センター(１)上に形成され、かつ内層(２)および外層(３)の２層の中間層(５)と、該中間層(５)を被覆するカバー(４)とから成るフォーピースソリッドゴルフボールにおいて、該センター(１)が直径１５〜３０ｍｍおよびＪＩＳ‐Ｃ硬度６５〜７８を有し、該中間層内層(２)が厚さ１〜３ｍｍおよびＪＩＳ‐Ｃ硬度９０〜１００を有し、該中間層外層(３)が厚さ２〜１２ｍｍおよびＪＩＳ‐Ｃ硬度６０〜８０を有し、かつゴム組成物を加硫加圧成形して形成され、該カバーが厚さ１〜３ｍｍおよびショアーＤ硬度６２〜７２を有することを特徴とするフォーピースソリッドゴルフボール。
【請求項２】
中間層内層のＪＩＳ‐Ｃ硬度がセンターのＪＩＳ‐Ｃ硬度より１５〜３５高い請求項１記載のフォーピースゴルフボール。
【発明の詳細な説明】
【０００１】
【発明の属する技術分野】
本発明は、飛行性能、打撃時フィーリングに優れたフォーピースゴルフボール、特に打撃時のボール打出角を高くしたフォーピースソリッドゴルフボールに関する。
【０００２】
【従来の技術】
ゴルフボールには、主として２タイプあり、１つは糸巻きゴルフボールであり、一方はソリッドゴルフボールである。ソリッドゴルフボールの代表例は、ツーピースソリッドゴルフボールであり、中実のゴム製コアと熱可塑性樹脂製のカバーから成る構造を有している。
【０００３】
ツーピースソリッドゴルフボールは上記のような簡単な構造を有しているにもかかわらず、飛距離や耐久性が大きく、アマチュアゴルファーに一般に使用されている。しかしながら、ツーピースソリッドゴルフボールは、硬くて打球感が悪く、またアプローチ時のコントロール性も悪い。
【０００４】
このソリッドゴルフボールの欠点を改善するために、種々の試みがなされている。その代表的ものとして、コアを２層にしたり、カバーを２層にしたりすることが、提案されている。いずれの方法も、打球感を軟らかくするには、ある程度の効果が得られているものの、もう少し改善の余地が存在する。
【０００５】
【発明が解決しようとする課題】
本発明は、上記のような従来のゴルフボールの有する問題点を解決し、優れた打撃時のフィーリングを維持したまま飛距離を向上させたゴルフボールを提供することを目的とする。
【０００６】
【課題を解決するための手段】
本発明者等は上記目的を達成すべく鋭意検討を行った結果、センターとそのセンター上に形成された２層の中間層とその中間層を被覆するカバーとから成るフォーピースソリッドゴルフボールにおいて、センター→中間層内層→中間層外層→カバーの硬度分布を柔→剛→柔→剛となるように特定範囲に設定することで、ソフトな打撃時フィーリングを維持したまま、打撃時のボール打出角を大きくすることにより、飛行性能を向上させたゴルフボールが得られることを見い出し、本発明を完成するに至った。
【０００７】
即ち、本発明は、センター(１)と、該センター(１)上に形成され、かつ内層(２)および外層(３)の２層の中間層(５)と、該中間層(５)を被覆するカバー(４)とから成るフォーピースソリッドゴルフボールにおいて、該センター(１)が直径１５〜３０ｍｍおよびＪＩＳ‐Ｃ硬度６５〜７８を有し、該中間層内層(２)が厚さ１〜３ｍｍおよびＪＩＳ‐Ｃ硬度９０〜１００を有し、該中間層外層(３)が厚さ２〜１２ｍｍおよびＪＩＳ‐Ｃ硬度６０〜８０を有し、かつゴム組成物を加硫加圧成形して形成され、該カバーが厚さ１〜３ｍｍおよびショアーＤ硬度６２〜７２を有することを特徴とするフォーピースソリッドゴルフボールに関する。更に、本発明をより好適に実施するには、（中間層内層の硬度）−（センターの硬度）＝１５〜３５であることが望ましい。
【０００８】
本発明のフォーピースソリッドゴルフボールを図１を参照して説明する。図１は本発明のフォーピースソリッドゴルフボールの断面概略図である。本発明のフォーピースソリッドゴルフボールでは、センター(1)上に中間層(5)を形成し、その中間層(5)上にカバー(4)を形成する。中間層(5)は、中間層内層(2)および中間層外層(3)の２層から成る。本発明のフォーピースソリッドゴルフボールは、センター(1)、２層から成る中間層(5)およびカバーのディメンジョン（直径、厚さ）、硬度を特定範囲に設定したものである。
【０００９】
センター(1)は、直径15〜30mmおよびJIS-C硬度60〜80を有するように形成する。直径が15mmより小さいとセンターを軟らかくしてもボールとしてのフィーリングがソフトであるのが分かりにくく、30mmより大きくするとボールの反発性能が大きく低下して飛距離が低下する。また、センターのJIS-C硬度が60より小さいと軟らかくなり過ぎて反発性能が低下し、80より大きいと硬くなり過ぎてフィーリングが硬く悪くなる。
【００１０】
このセンター(1)は通常、基材ゴム、架橋剤、不飽和カルボン酸の金属塩、充填材、必要に応じて老化防止剤等を含有する公知のゴム組成物を、加熱加圧成形して形成することができる。ゴム組成物の基材ゴムとしては、従来からソリッドゴルフボールに用いられている天然ゴムおよび/または合成ゴムが用いられ、特にシス-1,4-結合少なくとも40％以上、好ましくは80％以上を有するいわゆるハイシスポリブタジエンゴムが好ましく、所望により、天然ゴム、ポリイソプレンゴム、スチレンポリブタジエンゴム、ＥＰＤＭ等を配合してもよい。
【００１１】
架橋剤には、有機過酸化物、例えばジクミルパーオキサイドまたはt-ブチルパーオキサイドが挙げられ、ジクミルパーオキサイドが好適である。配合量は、基材ゴム100重量部に対して1.0〜2.0重量部であることが好ましい。1.0重量部未満では軟らかくなり過ぎて反発が悪くなり飛距離が低下する。2.0重量部を越えると硬くなり過ぎ、フィーリングが悪くなる。
【００１２】
不飽和カルボン酸の金属塩は、共架橋剤として作用し、特にアクリル酸またはメタクリル酸等のような炭素数３〜８のα,β-不飽和カルボン酸の、亜鉛、マグネシウム塩等の一価または二価の金属塩が挙げられるが、高い反発性を付与するアクリル酸亜鉛が好適である。また、ゴム組成物調製時の混練中にα,β-不飽和カルボン酸と酸化亜鉛等の金属酸化物とを反応させて、α,β-不飽和カルボン酸金属塩としたものを用いてもよい。配合量は基材ゴム100重量部に対して、15〜30重量部が好ましい。30重量部より多いと硬くなり過ぎてフィーリングが悪くなり、15重量部より少ないと反発が悪くなり飛距離が低下する。
【００１３】
充填材は、ゴルフボールのコアに通常配合されるものであればよく、例えば無機塩（具体的には、酸化亜鉛、硫酸バリウム、炭酸カルシウム）、高比重金属粉末（例えば、タングステン粉末、モリブデン粉末等）およびそれらの混合物が挙げられる。更に、必要に応じ老化防止剤またはしゃく解剤等を配合することができる。
【００１４】
本発明では、センター(1)上に中間層内層(2)が被覆形成され、両者の硬度差は組成物の配合や加硫条件を変えることにより、
（中間層内層の硬度）−（センターの硬度）＝15〜35であるように調節する。中間層内層(2)の形成方法は、射出成形またはプレス成形等カバーと同様の方法で形成することができる。
【００１５】
中間層内層(2)は、厚さ１〜３mmおよびJIS-C硬度90〜100を有するように設定されて、センター(1)上に被覆形成される。これはセンター(1)と中間層内層(2)との硬度分布を非断続的な超外剛内柔硬度分布にすることで飛行性能の高打出角化を得られるためである。厚さは１mmより小さいと反発性能が低下し、３mmより大きいと打撃時フィーリングが硬くなる。中間層内層(2)はソリッドゴルフボールのカバー材として通常使用されるアイオノマー樹脂で形成することができる。アイオノマー樹脂としては、エチレン-(メタ）アクリル酸の共重合体中のカルボン酸の一部を金属イオンで中和したもの、またはその混合物が用いられる。上記の中和する金属イオンとしては、アルカリ金属イオン、例えばＮaイオン、Ｋイオン、Ｌiイオン等；２価金属イオン、例えばＺnイオン、Ｃaイオン、Ｍgイオン等；３価金属イオン、例えばＡlイオン、Ｎdイオン等；およびそれらの混合物が挙げられるが、Ｎaイオン、Ｚnイオン、Ｌiイオン等が反発性、耐久性等からよく用いられる。アイオノマー樹脂の具体例としては、それだけに限定されないが、ハイミラン1557、1605、1652、1705、1706、1707、1855、1856(三井・デュポンポリケミカル社製)、IOTEC 7010、8000(エクソン(Exxon)社製)等を例示することができる。
【００１６】
中間層外層(3)は、厚さ２〜12mmおよびJIS-C硬度60〜80を有するように設定されて、中間層内層(2)上に被覆形成される。厚さは２mmより小さいと打撃時フィーリングが硬くなり、12mmより大きいと反発性能の低下を招く。中間層外層(3)は特に制限されるものではないが、例えば、架橋剤配合量が基材ゴム100重量部に対して1.0〜3.0重量部であること以外はセンター(1)と同様の、基材ゴム、架橋剤、不飽和カルボン酸の金属塩、充填材、必要に応じて老化防止剤等を含有する公知のゴム組成物を、加熱加圧成形して形成することができる。
【００１７】
カバー(4)は、厚さ１〜３mmおよびショアーＤ硬度62〜72を有するように設定されて、中間層外層(3)上に被覆形成される。厚さは１mmより小さいと反発性能が低下して飛距離が低下し、３mmより大きいと打撃時フィーリングが硬くなる。このカバーは、ソリッドゴルフボールのカバー材として通常使用されるアイオノマー樹脂で形成することができる。アイオノマー樹脂としては、エチレン-(メタ）アクリル酸の共重合体中のカルボン酸の一部を金属イオンで中和したもの、またはその混合物が用いられる。上記の中和する金属イオンとしては、アルカリ金属イオン、例えばＮaイオン、Ｋイオン、Ｌiイオン等；２価金属イオン、例えばＺnイオン、Ｃaイオン、Ｍgイオン等；３価金属イオン、例えばＡlイオン、Ｎdイオン等；およびそれらの混合物が挙げられるが、Ｎaイオン、Ｚnイオン、Ｌiイオン等が反発性、耐久性等からよく用いられる。アイオノマー樹脂の具体例としては、それだけに限定されないが、ハイミラン1557、1605、1652、1705、1706、1707、1855、1856(三井・デュポンポリケミカル社製)、IOTEC 7010、8000(エクソン(Exxon)社製)等を例示することができる。
【００１８】
また、上記カバー用組成物には、硫酸バリウム等の充填材や着色のために二酸化チタン等の添加物や、その他の添加剤、例えば紫外線吸収剤、光安定剤並びに蛍光材料または蛍光増白剤等を、ゴルフボールカバーによる所望の特性が損なわれない範囲で含有していてもよいが、通常、着色剤の配合量は0.1〜0.5重量部が好ましい。
【００１９】
本発明のカバー層は、ゴルフボールのカバーの形成に使用されている一般に公知の方法、例えば射出成形、プレス成形等により形成される。カバー層を被覆する際に通常、ディンプルと呼ばれるくぼみを多数表面上に形成する。本発明のゴルフボールは美観を高め、商品価値を上げるために、通常ペイント仕上げ、マーキングスタンプ等を施されて市場に投入される。
【００２０】
【実施例】
本発明を実施例により更に詳細に説明するが、本発明はこれら実施例に限定されるものではない。
【００２１】
（実施例１〜６および比較例１〜３）
センターの作成
以下の表１（実施例）および表２（比較例）に示した配合のセンター用組成物を混練し、140℃×25分間加圧成形し、次いで165℃×20分間加圧成形することにより、表３（実施例）および表４（比較例）に示した直径または厚さおよびJIS-C硬度を有するセンターを得た。
【００２２】
中間層内層
上記のように得られたセンター上に、以下の表１（実施例）および表２（比較例）に示した配合の中間層内層用組成物を射出成形により被覆形成して、表３（実施例）および表４（比較例）に示した厚さおよびJIS-C硬度を有する中間層内層を得た。
【００２３】
中間層外層
上記のように得られた中間層内層上に、以下の表１（実施例）および表２（比較例）に示した配合の中間層外層用組成物を被覆し、155℃×20分間加圧成形して、表３（実施例）および表４（比較例）に示した厚さおよびJIS-C硬度を有する中間層外層を得た。
【００２４】
カバー
上記のように得られた中間層外層上に、以下の表１（実施例）および表２（比較例）に示した配合のカバー用組成物を射出成形により被覆形成して、表３（実施例）および表４（比較例）に示した厚さおよびショアーＤ硬度を有するフォーピースソリッドゴルフボールを形成し、通常のゴルフボールと同様にカバー上にペイントを施してボール作製完了とした。得られたゴルフボールについて、飛行性能（打出角、スピン量、飛距離）および打撃時フィーリングを評価し、その結果を表３（実施例）および表４（比較例）に示した。試験方法は後述の通りとした。
【００２５】
（比較例４）
中間層外層を被覆形成しないこと以外は、上記実施例１〜６および比較例１〜３と同様にしてゴルフボールを作製した。得られたスリーピースソリッドゴルフボールついて同様に、飛行性能（打出角、スピン量、飛距離）および打撃時フィーリングを評価し、その結果を表３（実施例）および表４（比較例）に示した。試験方法は後述の通りとした。
【００２５】
【表１】
0003762505.tif 000002
【００２６】
【表２】
0003762505.tif 000003
【００２７】
(注1) 日本合成ゴム(株)製ハイシスポリブタジエンゴム（1,4-シス-ポリブタジエン含量：96％）
(注2) 吉富製薬(株)製ヨシノックス425
(注3) 三井デュポンポリケミカル(株)製のナトリウムイオン中和エチレン-メタクリル酸共重合体系アイオノマー樹脂、MI＝2.8、曲げ剛性率＝約310MPa
(注4) 三井デュポンポリケミカル(株)製の亜鉛イオン中和エチレン-メタクリル酸共重合体系アイオノマー樹脂、MI＝0.8、曲げ剛性率＝約260MPa
(注5) 大日本インキ化学工業(株)製のポリウレタン系熱可塑性エラストマー
【００２８】
（試験方法）
▲１▼飛距離
ツルーテンパー社製スイングロボットにドライバー(Ｗ＃１)を取付け、ゴルフボールをヘッドスピード40m/秒で打撃し、落下点までの距離(キャリー)を飛距離として測定した。
▲２▼打出角およびスピン量
ゴルフボールとクラブヘッドのインパクトの瞬間を一定間隔に設置した２台のカメラによって、一定時間ずらして撮影して、その差から算出した。
▲３▼打撃時フィーリング
プロゴルファーによりドライバーで実打して評価する。評価基準は下記の通りである。
評価基準
○  …軟らかく良い
×  …硬くて悪い
【００２９】
（試験結果）
【表３】
0003762505.tif 000004
【表４】
0003762505.tif 000005
【００３０】
以上の結果から明らかなように、本発明のフォーピースソリッドゴルフボールは、従来技術のスリーピースソリッドゴルフボールに比べて、ソフトな打撃時フィーリングを維持したまま、打撃時のボール打出角を大きくすることにより、更に飛行性能が向上することが認められた。
【００３１】
【発明の効果】
本発明のフォーピースソリッドゴルフボールは、センターと２層の中間層とカバーとから成り、センター、中間層内層、中間層外層、カバーの硬度分布を柔、剛、柔、剛となるように特定範囲に設定することで、ソフトな打撃時フィーリングを維持したまま、飛行性能を向上させ得たものである。
【図面の簡単な説明】
【図１】  本発明のゴルフボールの断面概略図である。
【符号の説明】
１ … センター
２ … 中間層内層
３ … 中間層外層
４ … カバー層
５ … 中間層
【図１】
0003762505.tif 000006